(57)【要約】【課題】ナースコールにおいて、ナースコール親機で、廊下灯や親機の画像設定中に呼出があると、設定が中断してしまう。【解決手段】ナースコール呼出履歴管理用プログラムをインストールして接続された管理用ＰＣが、ナースコールの呼出履歴を受信して保存するとともに、画像設定を行うことにより、管理用ＰＣの台数を増やすことなく呼出に影響されない画像設定を可能とする。【選択図】図１
2016063465.tif 000002
【特許請求の範囲】
【請求項１】
患者からの呼出時に患者情報を表示する廊下灯表示部と、前記廊下灯表示部の患者情報をプライバシー保護等の目的で隠蔽するための隠蔽画像を保存する廊下灯記憶部と、医療従事者の動態により患者情報を表示するか隠蔽画像を表示するかを選択する廊下灯制御部を備えた廊下灯と、
複数の前記廊下灯にＬＡＮ等の共通線路により接続され、前記隠蔽画像を廊下灯毎に設定する設定装置と、
前記患者からの呼出を表示し、患者と通話するナースコール親機と、
前記廊下灯に接続され、患者が呼び出す際に操作することにより呼出情報を送信し、前記ナースコール親機と通話するためのナースコール子機と、
前記ナースコール子機からの呼出履歴を前記呼出情報をもとに記憶する制御装置とを備えたナースコールシステムにおいて、
前記設定装置は前記隠蔽画像を設定中に前記呼出情報を受信すると、設定を継続したまま前記呼出履歴を保存することを特徴とするナースコールシステム。
【請求項２】
前記親機は、液晶等の親機表示部を備え、前記親機表示部にはイラスト等の患者のベッド表示毎、あるいは病室毎に設定されたキャラクターが表示できるものであるとともに、
前記キャラクターは前記隠蔽画像よりも面積比で３０％以下と小さいものであって、
前記設定装置は、前記隠蔽画像を設定している状態で、あわせて前記キャラクターを設定することを特徴とする請求項１記載のナースコールシステム。
【発明の詳細な説明】
【技術分野】
【０００１】
本発明は、ＬＡＮ等の汎用ネットワークに接続され、特にナースコール親機において患者または病室ごとにキャラクター表示ができるとともに、廊下灯の患者表示部にプライバシーのために隠蔽画像を表示することができるナースコールシステムに関するものである。
【背景技術】
【０００２】
従来のナースコールシステムでは、廊下灯の患者表示部に隠蔽画像（待受画像）を選択して表示できるものであって、ナースコール親機において隠蔽画像を選択することができるシステムが提案されていた。
【先行技術文献】
【特許文献】
【０００３】
【特許文献１】特開２００４−１０４６９１号公報
【発明の概要】
【発明が解決しようとする課題】
【０００４】
しかし、特許文献１の方策では、ナースコール親機において選択表示中に患者から呼出があると、選択操作がキャンセルされて呼出が優先されてしまい、患者との応対後に選択操作をはじめからやり直さなければならないという問題点があった。
【課題を解決するための手段】
【０００５】
本発明は、上述の難点を解消するためになされたもので、ナースコールシステムに接続されたパーソナルコンピュータ（以下、ＰＣと略す）を用いて廊下灯の隠蔽画像を選択することができるとともに、当該ＰＣは患者の呼出履歴を保存する機能を有するものである。
また、本発明は、当該ＰＣでナースコール親機に表示される患者のベッド表示毎、あるいは病室毎に設定されたキャラクターが設定できるものであり、キャラクターは隠蔽画像よりも面積比で３０％以下と小さいものであって、隠蔽画像とキャラクターをあわせて設定することができる。
【発明の効果】
【０００６】
本発明のナースコールシステムによれば、ＰＣで廊下灯の隠蔽画像が設定できるとともに、当該ＰＣは呼出履歴を記録できることから、複数のＰＣをナースコールシステムに接続することなく、履歴管理用ＰＣを１台接続するのみで廊下灯の隠蔽画像を設定することができる。
また、本発明のナースコールシステムによれば、当該ＰＣでナースコール親機に表示される患者のベッド表示毎、あるいは病室毎に設定されたキャラクターが、画像サイズの大きく異なる隠蔽画像とあわせて設定できることから、組合せによるバランスの取れた画像を容易に設定することができる。
【図面の簡単な説明】
【０００７】
【図１】図１は、本発明のナースコールシステムの構成図である。
【図２】図２は、本発明のナースコールシステムにおける廊下灯の表示部における隠蔽画像の表示内容を示す説明図である。
【図３】図３は、本発明のナースコールシステムにおけるナースコール親機の親機ディスプレイにおけるキャラクターの表示内容を示す説明図である。
【図４】図４は、本発明のナースコールシステムにおける履歴管理用ＰＣの画像及びアイコン設定画面の一例を示す説明図である。
【発明を実施するための形態】
【０００８】
以下、本発明のナースコールシステムを適用した最良の実施の形態例について、図面を参照して説明する。図１は、本発明の一実施例によるナースコールシステムの構成図であり、病室に設置され患者が看護師を呼出して通話を行うための呼出ボタン１１を有するナースコール子機１と、ナースステーションに設置され患者からの呼出しに応答した看護師が通話を行うナースコール親機２と、病室の入口に設置された廊下灯４と、隠蔽画像の画像データを設定し、廊下灯４に転送する管理用ＰＣ３と、ナースコール子機１及びナースコール親機２の呼出や通話を制御する制御装置５を備えており、ナースコール子機１と廊下灯４は接続線Ｌ０で接続されるとともに、ナースコール親機２、管理用ＰＣ３、廊下灯４と制御装置５は、ＬＡＮ等の汎用ネットワークＬでそれぞれバス接続されているとともに、各機器はＩＰアドレス及びマックアドレスを有している。
【０００９】
廊下灯４は、図２に示すように液晶ディスプレイ４１を備え、呼出時には呼出を行った患者氏名を液晶ディスプレイ４１に表示するとともに、呼出を行っていないときにはプライバシー対策で氏名を隠蔽する隠蔽画像を液晶ディスプレイ４１に表示している。なお、図２は隠蔽画像を表示している例を示しており、当該隠蔽画像は廊下灯内部の廊下灯記憶部４２に記憶されている。
【００１０】
ナースコール親機２は、２０インチ以上の親機ディスプレイ２１を有し、呼出時には呼出を行った患者氏名を親機ディスプレイ２１に表示するとともに、呼出を行っていないときには病棟内の病室毎に区切って患者一覧がレイアウト表示されており、それぞれの病室表示にはアイコンが付加されている。
【００１１】
また、親機ディスプレイ２１の他、別設置する形態としての大型ディスプレイ６を設置されている。
【実施例１】
【００１２】
次に、このように構成された本発明の一実施例によるナースコールシステムの呼出、通話動作について説明する。
【００１３】
図１において、病室に居る患者によりナースコール子機１の呼出ボタン１１が操作されると、ナースコール子機１は接続線Ｌ０、廊下灯４、ネットワークＬを介して制御装置５に対して呼出信号を送信する。呼出信号を受信した制御装置５は、ナースコール子機１のＩＰアドレスあるいはマックアドレスから、当該ナースコール子機１の設置された病室及びベッドの位置を特定し、呼出信号をナースコール親機２へ送信する必要があることを認識して、ナースコール親機２に呼出信号を送信するとともに、管理用ＰＣ３にナースコール子機１からナースコール親機２への呼出があったという履歴情報を送信する。
【００１４】
呼出信号を受信したナースコール親機２は、機器の設置された病室及びベッドの位置からナースコール子機１の呼出を行った患者氏名を特定し、当該患者氏名を親機ディスプレイ２１及び／又は大型ディスプレイ６に拡大表示するとともに、図示しないスピーカから呼出音を鳴動する。ナースステーション内の看護師は、呼出音及び親機ディスプレイ２１及び／又は大型ディスプレイ６の拡大表示から呼出を認識し、応答操作（詳述せず）を行なうことでナースコール親機２とナースコール子機１の通話が成立する。
【００１５】
また、管理用ＰＣ３に予めインストールされたナースコール管理用プログラム（以下、「管理ソフト」と称する。）は、ナースコール子機１からナースコール親機２に対する呼出履歴信号を受信して、図示しないハードディスク等の記憶媒体に記憶する。
【００１６】
次に、管理用ＰＣ３におけるある特定の病室の液晶ディスプレイ４１の隠蔽画像、及び親機ディスプレイ２１及び／又は大型ディスプレイ６のアイコンを設定する方法について図４をもとに説明する。ハードディスク、あるいは他の媒体から取得した画像データは、管理用ＰＣ３の管理ソフトの「全体画像読み込み」ボタンを操作することによって読み込まれ、管理用ＰＣ３のディスプレイ３１に表示される。管理ソフトを操作して画像データを選択し、画面左側に廊下灯４の隠蔽画面に設定したい画像、画面右側にナースコール親機２の病室のうち、隠蔽画面を設定した病室に対応する病室レイアウトに設定したい画像が表示される。病室レイアウトの画像は隠蔽画像に比べて１０分の１程度と小さいため、並べて比較することで画像の統一性を判断することもできる。画像が潰れる等の理由で左右で同じ画像が使用できない場合には、何れかの画像の下部にある「画像読み込み」ボタンを操作して異なる画面を読み込む、あるいは「加工」ボタンを押して画面を切り出し、拡大することによって、隠蔽画面の画像と病室レイアウトの画像を別々のものとすることもできる。なお、図４は親機側の「加工」ボタンを操作することによって、廊下灯側に表示されている元の画像を切り出して拡大した例である。
【００１７】
この状態で、管理ソフト中央に表示されている「転送」ボタンを押すと、それぞれの画像が廊下灯４の記憶部４２、ナースコール親機の図示しない記憶部に転送され、図２に示す液晶ディスプレイ４１、図３に示す親機ディスプレイ２１にそれぞれ表示される。なお、大型ディスプレイ６が接続されている場合には、親機ディスプレイ２１と大型ディスプレイ６の少なくとも１つに図３のような表示がなされる。
【００１８】
また、本実施例において、設定と呼出が複合した状態について説明する。画像の選択中、及び画像の転送中にナースコール子機１からの呼出により呼出履歴信号を受信した場合でも、図４に示すように管理ソフトが画面下部に呼出表示を行うとともに、バックグラウンドで記憶媒体に記憶するため、画像の選択、転送作業が中断されることはない。
【産業上の利用可能性】
【００１９】
なお、本実施例ではナースコール親機が１台である例を示したが、これに限らず、ナースコール親機が複数台であってもよい。この場合には管理ソフトは１台ないし複数のどのナースコール親機に画像を転送するのかを選択することもできる。
【００２０】
また、本実施例ではナースコール親機のみが看護師の応答端末として設置されていたが、無線端末を別途備えていても好適である。
【符号の説明】
【００２１】
１                ナースコール子機
２                ナースコール親機
２１              親機ディスプレイ（親機表示部）
３                管理用ＰＣ（設定装置）
４                廊下灯
４１              液晶ディスプレイ（廊下灯表示部）
４２              記憶部（廊下灯記憶部）
５                制御装置
【図１】
2016063465.tif 000003
【図２】
2016063465.tif 000004
【図３】
2016063465.tif 000005
【図４】
2016063465.tif 000006